(57)【要約】      （修正有）【課題】フィルタと不正開封防止ロックを備えた医療装置を滅菌及び保管するための容器を提供する。【解決手段】容器１００は側部１０２、１０４、１０６、１０８、皿１１０を含む底部及び蓋１２０から空洞１１１が画定される。蓋１２０には２つの開口部１２８を有し、開口部１２８の中心には、ネジによってフィルタ組立体を蓋１２０に固定するためのネジ穴１３２を有する。同様に底部にはフィルタを備えた開口部１２８を有する皿が載置されている。さらに、側部１０８及び１０６には蓋ロック２１２を有する。【選択図】図１
2018023762.tif 000002
【特許請求の範囲】
【請求項１】
殻；
前記殻内に摺動して挿入される第１のクリップであって、第１のロッキング部材を含むクリップ；
前記殻内に摺動して挿入される第２のクリップであって、第２のロッキング部材を含むクリップ；及び
前記第１のクリップに接続された第１の端と、前記第２のクリップに接続された第２の端とを含む付勢部材であって、前記第１のクリップと前記第２のクリップと付勢して、前記第１のロッキング部材を前記第２のロッキング部材に付勢する付勢部材を含む、
ロッキング機構。
【請求項２】
前記第１のクリップが、前記第２のクリップと同一であることを特徴とする、請求項１に記載のロッキング機構。
【請求項３】
前記第１のロッキング部材が平面を含み、平面はその近位端に形成された空洞を含む、請求項２に記載のロッキング機構。
【請求項４】
前記殻が第１の賦活開口部を含み、前記第１のクリップが、前記第１の賦活開口部を通り摺動するように延びている第１のボタンを含む、請求項１に記載のロッキング機構。
【請求項５】
前記第１のクリップが、前記ボタンに接続された第１の近位端と、第１の付勢部材支持部を含む第１の遠位端とを含む第１の本体を含む、請求項４に記載のロッキング機構。
【請求項６】
前記第１の近位端が第１の基部を含み、前記第１の遠位端がさらに前記第１のロッキング部材を含む、請求項５に記載のロッキング機構。
【請求項７】
前記付勢部材が、前記第１の基部と前記第１のロッキング部材との間に配置される、請求項６に記載のロッキング機構。
【請求項８】
前記殻が延伸した空洞を含み、前記第１のクリップ及び前記第２のクリップが前記空洞の内部に配置される、請求項４に記載のロッキング機構。
【請求項９】
第１の開口部、第２の開口部、及び第１の開口部と第２の開口部との間に延びる空洞を含む殻；
第１のクリップであって：
前記第１の開口部を通って延びている第１のボタンと；
前記第１のボタンから遠位に延びる第１の延伸した基部と；
前記第１の基部から伸びる第１のスペーサと；
前記第１のスペーサから上方に延びる第１の面であって、その第１の近位端で形成された第１の空洞を含む第１の面と；
前記第１の延伸した基部と第１面との間に配置された第１の付勢部材支持部と；を含むクリップ
２番目のクリップであって：
前記第２の開口部を通って延びる第２のボタンと；
前記第２のボタンの遠位に延びる第２の延伸した基部と；
前記第２の基部から伸びる第２のスペーサと；
前記第２のスペーサから上方に延びる第２の面であって、その第２の近位端に形成された第２の空洞を有する第２の面と；
前記第２の延伸した基部と前記第２の面との間に配置された第２の付勢部材支持部とを含むクリップ；及び
前記第１の付勢部材支持部に接続した第１の端と、前記第２の付勢部材支持部に接続した第２の端とを含む付勢部材、
を含むロッキング機構。
【請求項１０】
前記付勢部材は、前記第１の面を前記第２の面に付勢する、請求項９に記載のロッキング機構。
【請求項１１】
前記第１の空洞及び前記第２の空洞がロッキング面を形成する、請求項１０に記載のロッキング機構。
【請求項１２】
前記第１付勢部材が、前記第１の延伸した基部と前記第１の面との間に配置される、請求項９に記載のロッキング機構。
【請求項１３】
前記第１の面が、前記第２の面と同一平面上にある、請求項９に記載のロッキング機構。
【請求項１４】
前記第１の部材が前記第２の部材と同一である、請求項９に記載のロッキング機構。
【請求項１５】
前記第１の空洞と前記第２の空洞との間に配置された取り付け支柱をさらに含み、前記ロッキング機構がロックされた位置内にある場合には、前記第１の面及び前記第２の面が前記取り付け支柱に係合する、請求項９に記載のロッキング機構。
【請求項１６】
取り付け支柱；及び
ロッキング機構であって：
殻と；
前記殻内に摺動して挿入される第１のクリップであって、前記取り付け支柱の第１の側に配置された第１のロッキング部材を含むクリップと；
前記殻内に摺動して挿入される第２クリップであって、前記第１のクリップと同一で前記取り付け支柱の反対側に配置された第２のロッキング部材を含むクリップと；
前記第１のクリップに接続された第１の端と、前記第２のクリップに接続された第２の端とを含む付勢部材であって、前記第１のロッキング部材と前記第２のロッキング部材とを付勢して、前記取り付け支柱に係合させる付勢部材とを含むロッキング機構、
を含むロッキング組立体。
【請求項１７】
前第１のクリップが、前記殻から外方に延びる第１のボタンを含み、前記第１のボタンが前記殻内に移動することにより、前記第１のロッキング部材が前記取り付け支柱から離れるように動く、請求項１６に記載のロッキング組立体。
【請求項１８】
前記第１のクリップが、前記ボタンに接続する第１の端と、付勢支持部材に接続する第２の端とを含む延伸した本体を含み、前記付勢部材の前記第１の端が前記付勢支持部材に接続されるようになっている、請求項１７に記載のロッキング組立体。
【請求項１９】
互いに圧縮される場合には前記ロッキング機構を解除し、解放される場合には前記ロッキング機構を固定する対向する２つのボタンを含む、滅菌容器上のフィルタ組立体を固定し解除するのに使用されるロッキング組立体。
【請求項２０】
前記付勢部材の第１の部分が前記第1の施錠部材を貫通して延び、前記付勢部材の残りの部分が前記第２の施錠部材を貫通して延びている、請求項１６に記載のロッキング組立体。
【発明の詳細な説明】
【関連出願の相互参照】
【０００１】
本出願は、２０１６年６月１５日に提出された仮出願第６２／３５０，３６２号明細書の優先権を主張し、その全体をあらゆる目的のためにここに援用する。
【技術分野】
【０００２】
【発明の分野】
【０００３】
本発明は、容器、より具体的には例えば、医療装置を滅菌及び保管するために使用することができる滅菌容器に関する。
【０００４】
【背景技術】
【０００５】
滅菌容器は、ろ過された外気を滅菌処理の最中及び後に流入及び流出させることができる通気性フィルタ組立体を含む。使用後この容器は、再利用することが望ましい場合がある。しかし、フィルタ組立体の中のフィルタ材を交換して、清浄な空気がフィルタ組立体を通じて充分に移送されるようにすることが望ましいであろう。
【０００６】
したがって、必要に応じて容易に除去及び交換することができるフィルタ組立体を含む滅菌容器の必要性が存在する。
【発明の概要】
【０００７】
この、そして他の要求を満たすために、滅菌する装置、システム、及び方法が提供される。滅菌装置及びシステムは、滅菌容器、１つ以上のフィルタ、１つ又は複数のフィルタ保持板、並びに、滅菌容器にフィルタ及び／又は板を固定するよう設計された１つ又は複数のクリップ若しくはロックを含んでいてもよい。方法は、例えばオートクレーブ処理中に、滅菌容器を組み立てる及び／又は使用するステップを含んでいてもよい。
【０００８】
１実施形態によれば、滅菌容器は、皿、蓋、フィルタ保持板、フィルタ保持クリップ、封止部、及びハンドルを含んでいてもよい。皿は、空気、湿熱／蒸気、又は他のオートクレーブガスを容器に通過させることができる孔を含む。保持板は、これらの穿孔領域上で皿に取り付けられ、フィルタ材を保持する。
【０００９】
１実施形態では、滅菌容器は、殻と、殻内に摺動して挿入される第１のクリップとを備えたロッキング機構を含む。第１のクリップは、第１のロッキング部材を有する。第２のクリップは、殻内に摺動して挿入される。第２のクリップは、第２のロッキング部材を有する。付勢部材が、第１のクリップに接続する第１の端と、第２のクリップに接続する第２の端とを有することにより、付勢部材が、第１のクリップと第２のクリップとを付勢し、これにより第１のロッキング部材が第２のロッキング部材に向けて付勢されるようになっている。
【００１０】
別の実施形態においては、滅菌容器は、ロッキング機構を含み、ロッキング機構は、第１の開口部と、第２の開口部と、第１の開口部と第２の開口部との間に延びる空洞とを有する殻を備えている。第１のクリップは、第１の開口部を通って延びる第１のボタンと、第１のボタンから遠位に延びる第１の延伸した基部と、第１の基部から延びる第１のスペーサと、第１のスペーサから上方に延びる第１の面とを有する。第１の面は、その第１の近位端に形成された第１の空洞を有する。第１の付勢部材支持部が、第１の延伸した基部と第１の面との間に配置されている。第２のクリップは、第１のクリップと同一である。付勢部材が、第１の付勢部材支持部に接続された第１の端と、第２の付勢部材支持部に接続された第２の端とを有する。
【００１１】
さらに別の実施形態では、滅菌容器は、取り付け支柱とロッキング機構とを備えたロッキング組立体を含む。ロッキング機構は、殻と、殻の内部に摺動して挿入される第１のクリップとを備えている。第１のクリップは、取り付け支柱の第１の側に配置された第１のロッキング部材を有する。第２のクリップは、殻の内部に摺動して挿入される。第２のクリップは、第１のクリップと同一であり、取り付け支柱の反対側に配置されている。付勢部材が、第１のクリップに接続された第１の端と、第２のクリップに接続された第２の端とを有しており、この付勢部材は、第１のクリップと第２のクリップを付勢して取り付け支柱に係合させるようになっている。
【００１２】
この「発明の概要」は、「発明を実施するための形態」において以下にさらに記載される簡略化された形態の概念を紹介するために提供される。この「発明の概要」は、特許請求された主題の鍵となる機能又は本質的な機能を特定することを意図したものではなく、特許請求された主題の範囲を限定するために使用されることを意図したものでもない。
【図面の簡単な説明】
【００１３】
本発明の他の態様、機能、及び利点は、以下の詳細な記載、添付された特許請求の範囲、及び、同様の又は同一の構成要素を類似の参照番号によって特定している添付図面から、さらに完全に明らかになるであろう。
【図１】第１の例示的な実施形態に係る滅菌容器の斜視図である。
【図２】図１に示す滅菌容器の正立面図である。
【図３】図１に示す滅菌容器の平面図である。
【図４】図１に示す滅菌容器の右側立面図である。
【図５】図１に示す容器と共に使用される蓋の底面斜視分解図である。
【図６】図５に示す蓋の上面斜視分解図である。
【図７】図１に示す容器の上面斜視分解図である。
【図８】図１に示す容器と共に使用されるフィルタ組立体の平面図である。
【図９】図８に示すフィルタ組立体の側立面図を示す。
【図１０】図８に示すフィルタ組立体の上部分解図である。
【図１１】図８の線１１−１１に沿ったフィルタ組立体の断面図である。
【図１２】図８のフィルタ組立体に使用される封止部の拡大図であり、図１１に示す拡大円１２に沿ったものである。
【図１３】図８のフィルタ組立体の拡大断面図であり、図２に示す拡大円１３に沿ったものである。
【図１４】容器と共に使用される蓋クリップの拡大断面図であり、図２の拡大円１４に沿ったものである。
【図１５】図１の容器上に図８のフィルタ組立体を固定するのに使用されるロッキング機構の例示的な実施形態の分解図である。
【図１６】図１５に示すロッキング機構と共に使用されるクリップの分解斜視図である。
【図１７】図１６に示すクリップの底面図である。
【図１８】図１６に示すクリップの端立面図である。
【図１９】図１６に示すクリップの断面図であり、図１７の線１９−１９に沿ったものである。
【図２０】図１６に示すクリップの平面図である。
【図２１】図１６に示すクリップの断面図であり、図２０の線２１−２１に沿ったものである。
【図２２】図１５に示すロッキング機構の底面斜視図であり、その殻を外して、施錠位置にあるクリップを示す。
【図２３】図２２のロッキング機構の上面斜視図である。
【図２４】図１５に示すロッキング機構の底面斜視図であり、その殻を外して、非施錠位置にあるクリップを示す。
【図２５】図２４のロッキング機構の上面斜視図である。
【発明を実施するための形態】
【００１４】
図中、全体を通して、類似の数字は類似の構成要素を表示する。特定の用語が、本明細書で便宜上使用されているが、本発明を限定すると解釈されるものではない。その用語は、具体的に言及された単語、その派生語、及び同様の意味の単語を含む。以下に例示される実施形態は、網羅的であることを意図するものではなく、また開示された正確な形態に本発明を限定することを意図するものではない。これらの実施形態は、本発明の原理及びその応用及び実際の使用を最もよく説明するように、そして当業者が本発明を最大限に利用できるように選択及び記載される。
【００１５】
本明細書において、「１実施形態」又は「実施形態」に言及する場合、その実施形態に関連して記載された特定の機能、構造、又は特徴が、本発明の少なくとも１つの実施形態に含まれ得るということが意味される。本明細書の諸所において「１実施形態では」という語句が出現しても、これは必ずしもすべて同一の実施形態を指しているわけではなく、他の実施形態と相互に排他的な別個の又は代替の実施形態を指しているわけでもない。同じことが「実現」という用語にも当てはまる。
【００１６】
本明細書で使用されているとおり、「例示的」という語は、ここでは、具体例、代表例、又は例示としての役割を果たすことを意味するのに使用される。本明細書において「例示的」と記載されている任意の態様又は設計は、他の態様又は設計よりも好ましい又は有利であると必ずしも解釈されない。むしろ、用語「例示的」の使用は、具体的な方式によって諸概念を表すものとする。
【００１７】
さらに、用語「又は」は、排他的な「又は」ではなく、包含的な「又は」を意味するものとする。すなわち、別段の指定がない限り、又は文脈から明瞭であるというのではない限り、「ＸがＡ又はＢを使用する」とは、自然な包含的入れ替えのいずれも意味するものとする。すなわち、ＸがＡを使用する；ＸがＢを使用する；又はＸがＡとＢの両方を使用するならば、その場合、前例のいずれにおいても「ＸがＡ又はＢを使用する」が満足される。さらに、本明細書及び添付の特許請求項において使用される冠詞「ａ」及び「ａｎ」は、別段の指定がない限り、又は単数形を指し示す文脈から明瞭であるというものでない限り、「１つ又は複数の」を意味すると一般に解釈されるものとする。
【００１８】
特に明記しない限り、各数値及び範囲は、値又は範囲の値にあたかも「約」又は「おおよそ」に先行されるかのように近似的なものであると解釈されるものとする。
【００１９】
特許請求項の解釈を容易にすることを目的として、特許請求項における図番号及び／又は図参照符号の使用により、特許請求される主題の考え得る１つ又は複数の実施形態が特定されるものとする。そうした使用によって、それらの特許請求項の範囲が、対応する図中に示される実施形態に限定されるとは必ずしも解釈されないものとする。
【００２０】
本明細書に記載される例示的な方法のステップは、記載された順序で実行される必要は必ずしもなく、そのような方法のステップの順序は、単に例示的なものであると理解されるものとすることを理解されたい。同様に、そのような方法にはさらなるステップが含まれてもよく、本発明のさまざまな実施形態と一致する方法において、特定のステップが省略されても組み合わされてもよい。
【００２１】
以下の方法請求項における構成要素は、もし存在する場合には、対応する表示の特定の順序で記載されるものの、それらの請求項による列挙が、構成要素の一部又は全部を実現するための特定の順序であることを示唆しているのでない限り、それらの構成要素は、その特定の順序で実現されるということに限定されるわけでは必ずしもないものとする。
【００２２】
また、本記載の目的のために、用語「結合」、「結合する」、「結合した」、「接続」、「接続する」又は「接続した」は、２つ以上の構成要素を互いに直接的に又は間接的に結合又は接続する、当技術分野で既知の又はそれ以降に出現した方法を指し、１つ又は複数のさらなる構成要素が、必要ではないものの介在することが企図される。逆に、用語「直接的に結合した」、「直接的に接続した」は、そうしたさらなる構成要素が存在しないことを示唆する。
【００２３】
本開示は、例えば、医療装置及び／又は機器を滅菌及び保管するのに使用することができる、オートクレーブ可能な容器の実施形態を提供する。この容器は、製品のグラフィックケースを蒸気滅菌サイクル時に保持するように、例えば、滅菌ラップを使用する代替として、特に構成されてもよい。
【００２４】
本発明の容器の例示的な仕様は、例えば：蒸気滅菌等の滅菌媒体の透過が可能であり、標準的なオートクレーブ時間内で、滅菌により残留した湿気を乾燥させるのが可能であること；滅菌装置内のグラフィックケース内に置かれた装置及び機器を効果的に滅菌するように構成された最小フィルタ面積、例えば、１７６平方インチの最小フィルタ面積を有すること；１つ又は複数の製品のグラフィックケースが、ハンドルを直立させた状態で嵌合可能であること；標準的なフィルタサイズ及び不正開封防止機能付きロックを使用すること；大サイズの体重が１１ポンド以下であること；そして積み重ね可能であること、を含んでいてもよい。
【００２５】
このような容器は、滅菌処理時及びその後に容器内に又はそこから滅菌媒体、例えば蒸気及び空気を通過させることができるフィルタ組立体も含む。容器がその蓋で封止されている場合、フィルタ組立体は、容器上で湿熱が通過できる唯一の場所であってもよい。これにより、容器内の内容物はオートクレーブからいったん取り出された後も無菌状態に保たれる。
【００２６】
１実施形態によれば、フィルタ組立体は、フィルタ組立体クリップを含んでいてもよく、これは、フィルタ組立体を容器上に確実に保持しつつ、フィルタ材の交換のためには容易に解放されて、フィルタ組立体を容器から取り外すことができるものである。
【００２７】
図１〜４を参照すると、第１の例示的な実施形態に係る容器１００が示される。容器１００は、病院用に従来からある滅菌ラップの代替となる。従来技術の容器に勝る容器１００のいくつかの利点には、他に知られているいくつかの容器よりも軽量な設計であること；容器１００の内部に置かれたケース（図示せず）のハンドルが直立状態を保持可能であるようにした蓋の設計により、外科スタッフが手術室環境内で容器１００からケースを容易に持ち上げられること；皿の底面が蓋の形状を忠実に反映しており、これによって、保管用に第２の容器１００を第１の容器１００に簡単に積み重ね可能であること；標準的なフィルタと不正開封防止ロックを備えていることにより、病院では、容器１００を滅菌処理部門と共通化するのが簡単であること；そして長寿命であることが立証されている施錠設計でること、が挙げられる。
【００２８】
容器１００は、それぞれ長手方向前及び後の側部１０２、１０４、それぞれ横方向右及び左の側部１０６、１０８、並びに底部の皿１１０を有する、概して平行六面体の構造である。側部１０２、１０４、１０６、１０８、及び底部の皿１１０によって空洞１１１が画定され、この空洞内に、製品のグラフィックケース（図示せず）などの物体が入れられて容器１００内で保管されることになる。
【００２９】
図５及び図６を参照すると、容器１００を覆う取り外し可能な蓋１２０が備えられている。底部の皿１１０は、その外周に沿って延びる縁部１１２を含み、この縁部が、底部の皿１１０から下に向かって延びる突出部１１４を画定する。同様に、蓋１２０が縁部１２２を含み、この縁部が、蓋１２０の最上面１２６から下方に延びる凹部１２４を画定して、１つの容器１００の突出部１１４が別の容器１００の凹部１２４に収まるようにし、これにより複数の容器１００を互いに積層することが可能となっている。
【００３０】
各凹部１２４は、概して環状パターンに配置された複数の開口部１２８を２組、含む。開口部１２８により、蓋１２０の内部１２９に取り付けられたフィルタ組立体１３０への／からの、蓋１２０を介した通気が可能となる。ネジ穴１３２は各複数の開口部１２８内の中心に位置し、これにより、固定部材、例えばネジ１３４を通過させて、取り付け支柱１３５を蓋１２０に固定することができる。フィルタ組立体１３０は、空洞１１１内の空間の相当量を塞がないように、突出部１１４上に大きく突出しないような大きさとしている。
【００３１】
同様に、図７を参照すると、突出部１１４は、概して環状パターンに配置された複数の開口部１３６を２組、含む。開口部１３６により、蓋１１０の内部１３８に取り付けられたフィルタ組立体１３０への／からの、底部の皿１１０を介した通気が可能となる。ネジ穴１４０は、各複数の開口部１３６内の中心に位置し、これにより、固定部材、例えばネジ１４２を通過させて、取り付け支柱１４４を底部の皿１１０に固定することができる。
【００３２】
図８〜図１３を参照すると、フィルタ組立体１３０は、外周１５２を有する概して円形の保持盤１５０と、中央ハブ１５４と、中央ハブ１５４を外周１５２に接続する複数のスポーク１５６とを含む。フィルタ材１５８は、隣接スポーク１５６の間に配置される。保持盤１５０は、さまざまなメーカーから提供される７．５インチ径の標準的なフィルタ材を保持する大きさとすることができる。
【００３３】
外周１５２は、外側封止部１６２を受容し保持する大きさの凹型チャネル１６０を含む。外側封止部１６２は環状であり、外側唇部１６４と内側唇部１６６とを含む。外側封止部１６２は、シリコーン、ゴム、又は他の適切な封止材料から構成することができる。
【００３４】
ハブ１５４は、内側封止部１７０を受容する大きさの凹面１６８を含む。ハブ１５４は、中央開口部１７２を含み、この中央開口部は、取り付け支柱１３５、１４４が延びて通過することができる大きさとなっている。同様に、内側封止部１７０は、中央開口部１７４を含み、この中央開口部も、取り付け支柱１３５、１４４が延びて通過することができる大きさとなっている。内側封止部１７０は、シリコーン、ゴム、又は他の適切な材料から構成することができる。
【００３５】
図１３を参照すると、取り付け支柱１３５が示されている。例示的な実施形態では、取り付け支柱１４４は、取り付け支柱１３５と同一であるので、取り付け支柱１３５についてのみ考察する。取り付け支柱１３５は、接続端１８９と自由端１９２とを含む。接続端１８９は、ネジ１３４が挿入されるネジ山付き袋小路１９４を含む。自由端１９２は、テーパー付き支持部１９６に取り付けられる切頭円錐形頭部１９５を含む。テーパー付き支持部１９６は、切頭円錐形頭部１９５の下に延びており、縁部１９８がその頭部１９５の下に形成されるようになっている。
【００３６】
ハブ１５４は、ネジ１７８などの固定部材を受容するような大きさの一対の貫通開口部１７６も含む。ネジ１７８は、ロッキング機構１７９をハブ１５４に固定するのに使用される。
【００３７】
図１５〜２５を参照すると、ロッキング機構１７９は、２つの対向するボタン１８２、１８４を含み、これらは、互い向かって圧縮される場合にはロッキング機構１７９を解放し、解放される場合にはロッキング機構１７９をロックする。図１６に示すように、ボタン１８０は、概して平行六面体形状であり、その側面は湾曲し、断面は楕円形を形成する。しかしながら当業者は、ボタン１８２がさらに他の形状であってもよいことを認識するであろう。
【００３８】
ボタン１８２、１８４は、延伸した空洞１８８を有する殻１８６内に含まれる。図１５に示すように、殻１８６は、空洞１８８の両側に、径方向に対向する一対の凹部１８７を含み、これによって、ネジ１７８（図１０に示す）が殻１８６をハブ１５４に固定することができるようになっている。第１のクリップ１９０及び第２のクリップ１９１が、空洞１８８内で長手方向に動くよう、空洞１８８内に摺動して配置される。例示的な実施形態では、第１のクリップ１９０は第２のクリップ１９１と同一である。第１のクリップ１９０と第２のクリップ１９１は、殻１８６内に配置され、第１のクリップ１９０と第２のクリップ１９１は反対方向に移動するようになっており、これについては後でさらに詳しく考察する。
【００３９】
空洞１８８の第１の側には、殻１８６が第１の起動開口部１９４を備え、これを通って第１のクリップ１９０上のボタン１８２が摺動可能に延びている。同様に、空洞１８８の第２の側には、殻１８６が第２の起動開口部１９６を備え、これは径方向に第１の起動開口部１９４と対向しており、これにより、空洞１８８が第１の起動開口部１９４と第２の起動開口部１９６の間に延び、第２の開口部を通って第２のクリップ１９１上のボタン１８４が摺動可能に延びている。
【００４０】
第１のクリップ１９０を図１６〜２１に示す。例示的な実施形態では、第１のクリップ１９０及び第２のクリップ１９１は同一であるため、第１のクリップ１９０についてのみ記載する。
【００４１】
クリップ１９０は、ボタン１８２に接続された近位端２００と、ロッキング部材２０３を含む遠位端２０２とを有する本体１９９を有する。本明細書で使用される用語「近位」は、それぞれボタン１８０、１８２に近いクリップ１９０、１９１上の位置であり、「遠位」は、それぞれボタン１８０、１８２から遠いクリップ１９０、１９１上の位置である。
【００４２】
本体１９９は、ボタン１８２に接続されそこからから遠位に延びる延伸した基部２０４を含む。基部２０４は、長手方向の軸２０５の一つの側にのみ沿っており、延伸した空隙２０７（図２０に示す）を含む。長手方向の軸２０５の反対側では、第２のクリップ１９１のための空間を設けるために本体は欠落している。スペーサ２０６が基部２０４から延び、そして図２２及び図２４に示すように、表面２０８がスペーサ２０６から延びる。表面２０８は、その近位端２１１に形成された空洞２０９を有する平面であり、表面２０８と空洞２０９とがロッキング部材２０３を形成するようになっている。空洞２０９は円弧状であり、取り付け支柱１３５上のテーパー付き支持部１９６と係合するよう面取りされている。クリップ１９０が取り付け支柱１３５と係合する場合、空洞２０９は、取り付け支柱１３５を一部囲むように延びている。
【００４３】
第１の弧状通路２１７が、基部２０４と、スペーサ２０６と、表面２０８との間に延びている。第１の弧状通路２１７は、第１のバネ２３０などの付勢部材がその中に収まるような大きさとなっている。同様に、スペーサ２０６の反対側には、第２のバネ２３２が収まるような大きさの第２の弧状通路２１９が含まれる。随意に、貫通路２３４が、弧状通路２１７、２１９の間にあるスペーサ２０６の中に形成されてもよい。貫通路２３４により、本体１９９において使用される材料の量が削減され、本体１９９の重量が削減されることにより、クリップ１９０の円滑な動作が可能になる。
【００４４】
図１６を参照すると、基部２０４は複数のリブ２２０、２２２を含み、これらのリブは、殻１８６の底部に留まって、殻１８６内においてクリップ１９０を摺動可能にし、その場合の摩擦は、もしリブ２２０、２２２が省略されて基部２０４が直接係合して殻１８６内で摺動するとした場合よりも少ない。
【００４５】
図１９に示すように、第１のピン通路２４０が、表面２０８を通って、第１のピン差し込み口２４２と同軸に延びている。第１のピン通路２４０と第１のピン差し込み口２４２は、第１付勢部材支持部２４５を受容し保持する大きさであり、延伸した基部２０４と表面２０８との間の遠位端２０２で第１の弧状の通路２１７中に第１の付勢部材支持部２４５を配置するようになっている。同様に第２のピン通路２４４が、表面２０８を通って第２のピン差し込み口２４６と同軸に延びている。第２のピン通路２４４と第２のピン差し込み口２４６は、第２の付勢部材支持体２４７を受容し保持する大きさであり、延伸した基部２０４と表面２０８との間の第１の遠位端２０２で第２の弧状の通路２１９中に第２の付勢部材支持部２４７を配置するようになっている。
【００４６】
上述のように、例示的な実施形態では、クリップ１９０とクリップ１９１は同一である。殻１８６内にクリップ１９０、１９１が組み立てられている場合、第１のクリップ１９０の表面２０８は、第２のクリップ１９１の対応する表面２０８と同一平面上にある。クリップ１９０上の空洞２０９とクリップ１９１上の対応する空洞２０９は、取り付け支柱１３５の係合に使用されるロッキング面を形成する。図１５を参照されたい。
【００４７】
第１の付勢部材２３０は、第１の付勢部材支持部２４５おいてクリップ１９０に接続する第１の端２３４と、第２の付勢部材支持部２４７においてクリップ１９１に接続する第２の端２３６とを含み、付勢部材２３０がクリップ１９０とクリップ１９１を付勢することによって、クリップ１９０上の表面２０８がクリップ１９１上の表面２０８に向けて付勢されるようになっている。例示的な実施形態では、第１の付勢部材２３０と第２の付勢部材２３２は、基部２０４と第１のロッキング部材２０３との間で、それぞれ第１の弧状通路２１７と第２の弧状通路２１９の中に配置された螺旋状のバネである。付勢部材２３０、２３２は、クリップ１９０上のロッキング部材２０３と、クリップ１９１上のロッキング部材２０３とを付勢して、取り付け支柱１３５に係合させる。図２２を参照すると、付勢部材２３０の第１の部分２４０は、クリップ１９０を貫通して延びており、付勢部材２３０の残りの部分２４２は、クリップ１９１を貫通して延びている。
【００４８】
ロッキング機構１７９がハブ１５４に取り付けられている場合、取り付け支柱１３５は、クリップ１９０の空洞２０９とクリップ１９１の空洞２０９との間に配置され、この場合、図１３に示すようにロッキング機構１７９が、ロックされた位置にある場合には、第１のクリップ１９０の表面２０８と第２のクリップ１９１の第１の表面２０８は、取り付け支柱１３５に係合する。ロッキング機構１７９は、図２２及び２３ではロックされた位置で示されている。
【００４９】
第１のボタン１８２と第２のボタン１８４が殻１８６内に移動することにより、クリップ１９０の表面２０８が取り付け支柱１３５から離れ第２のボタン１８２に向かって動くと共に、クリップ１９１の表面２０８が取り付け支柱１３５から離れ第１のボタン１８２に向かって動き、これにより、取り付け支柱１３５からロッキング機構１７９が解放され、ロッキング機構１７９を容器１００又は蓋１２０から取り外すことができるようになる。図２４及び２５に、ロック解除位置にあるロッキング機構１７９を示す。この移動により、付勢部材２３０、２３２がそれぞれの取り付け支柱２４５、２４７の間で延ばされて、エネルギーが付勢部材２３０、２３２内に貯えられる。第１及び第２のボタン１８２、１８４が解放されると、付勢部材２３０、２３２に貯えられたエネルギーが解放され、これにより付勢部材２３０、２３２が圧縮され、各クリップ１９０、１９１のロッキング部材２０３が動いて取り付け支柱１３５に係合する。
【００５０】
再び図１４を参照すると、蓋１２０の縁部１２２は、その周りに延びる凹型チャネル２１０を含む。チャネル２１０は、容器１００の右側１０６の蓋ロック２１２と、左側１０８の同様の蓋ロック２１２を受容するような大きさとなっている。補強部材２１３が、縁部１２２を覆うように位置しており、チャネル２１０内に延びる第１の端と、蓋１２０から外方に縁部１２２の端まで延びる第２の端とを有する。補強部材２１３は、アルミニウム、ステンレス鋼、又は他の適切な材料から構成することができる。
【００５１】
縁部１２２は、封止部２１８を受容して保持するようなサイズである凸部２１４も含む。蓋１２０が容器１００に固定されている場合、封止部２１８は、容器１００と蓋との間の空間を封止する。封止部２１８は、シリコーン、ゴム、又は他の適切な材料から構成することができる。
【００５２】
図２、４、及び１４を参照すると、蓋ロック２１２は、補強部材２１３を係合する自由端２５２を有する施錠部２５０を含み、これは図１４に示すとおりである。施錠部２５０の対向端は、回転軸２６６においてレバー２６４へのカム機構となっており、図２に示す位置までレバー２６４が押し下げられると、自由端２５２が補強部材２１３に対して下方に付勢され、蓋１２０が容器１００に固定されるようになっている。施錠部２５０を解放するには、レバー２６４を押し上げて、回転軸２６６のカム動作を解除し、自由端２５２を縁部１２２の上まで起こして、自由端２５２が、回転軸２６６のまわりに回転して蓋１２０から離れられるようにする。
【００５３】
再び図１４を参照すると、ハンドル組立体２６０が、側壁１０６に回転可能に接続されている。ハンドル組立体２６０は、リベット、化学結合、又は他の適切な接続機構などにより側壁１０６に直接的に接続された枠２６２を含む。
チャネル２６４は枠２６２に接続される。チャネル２６４は、ハンドル２６８の回転端２６６を支持する。ハンドル２６８の回転端２６６は、蓋ロック２１２よりも広く、ハンドル２６８が蓋ロック２１２の外周の周りに延びることができようになっており、これは図４に示すとおりである。ハンドル２６８は、概して「Ｕ−字形状」であり、その両端はチャネル２６４内に緩やかに延びており、図４に示す位置からハンドル２６８が蓋ロック２１２の下に延びている位置まで、ハンドル２６８がチャネル２６４内で約１８０度回転することができるようになっている。
【００５４】
また提供されるのは、滅菌容器と、滅菌容器内に配置されるケースと、グラフィックケース内で受容されるように、そして例えば、オートクレーブ処理を使用して滅菌されるように構成された医療装置及び機器とを含む滅菌システム及びキットを組み立てる並びに使用する方法である。
【００５５】
本発明の性質を説明するために記載され説明された部分の詳細、材料、及び配置におけるさまざまな変更は、以下の特許請求項で表現される本発明の趣旨から逸脱することなく当業者によってなされ得ることは、さらに理解されるであろう。
【図１】
2018023762.tif 000003
【図２】
2018023762.tif 000004
【図３】
2018023762.tif 000005
【図４】
2018023762.tif 000006
【図５】
2018023762.tif 000007
【図６】
2018023762.tif 000008
【図７】
2018023762.tif 000009
【図８】
2018023762.tif 000010
【図９】
2018023762.tif 000011
【図１０】
2018023762.tif 000012
【図１１】
2018023762.tif 000013
【図１２】
2018023762.tif 000014
【図１３】
2018023762.tif 000015
【図１４】
2018023762.tif 000016
【図１５】
2018023762.tif 000017
【図１６】
2018023762.tif 000018
【図１７】
2018023762.tif 000019
【図１８】
2018023762.tif 000020
【図１９】
2018023762.tif 000021
【図２０】
2018023762.tif 000022
【図２１】
2018023762.tif 000023
【図２２】
2018023762.tif 000024
【図２３】
2018023762.tif 000025
【図２４】
2018023762.tif 000026
【図２５】
2018023762.tif 000027
【外国語明細書】
2018023762000001.pdf